(57)【特許請求の範囲】
【請求項１】
テンションメンバと該テンションメンバの周囲に装填されている光ファイバとからなる光ケーブルを任意の取り付け領域に取り付けるための光ケーブル固定器具において、
前記取り付け領域に着脱自在に取り付けることが可能な第１の固定具と、
前記第１の固定具に着脱自在に取り付けることが可能な第２の固定具と、からなり、
前記第１の固定具は、相互に対向する２つの側壁を有しており、これら２つの側壁には、各側壁の頂部から下方に向かって延びる第１の凹部及び第２の凹部がそれぞれ形成されており、
前記第２の固定具は、相互に対向する２つの側壁を有しており、これら２つの側壁には、各側壁の頂部から下方に向かって延びる第３の凹部及び第４の凹部がそれぞれ形成されており、
前記側壁に直交する方向から見たときに、前記第１の凹部と前記第２の凹部とは水平方向において互いに重なり合わないように配置され、かつ、前記側壁に直交する方向から見たときに、前記第３の凹部と前記第４の凹部とは水平方向において互いに重なり合わないように配置されており、
前記第１の固定具の底面には前記２つの側壁の間において上方に突出する突起部が、前記第１の凹部及び前記第２の凹部の最下点よりも高い位置に頂部が位置するように、設けられており、
前記テンションメンバは、前記第１の凹部及び前記第３の凹部に挟み込まれ、かつ、前記第２の凹部及び前記第４の凹部の間に挟み込まれ、さらに、前記突起部により前記２つの側壁の間において上方に湾曲した状態で前記第１の固定具と前記第２の固定具との間に固定されることを特徴とする光ケーブル固定器具。
【請求項２】
テンションメンバと該テンションメンバの周囲に装填されている光ファイバとからなる光ケーブルを任意の取り付け領域に取り付けるための光ケーブル固定器具において、
前記取り付け領域に着脱自在に取り付けることが可能な第１の固定具と、
前記第１の固定具に着脱自在に取り付けることが可能な第２の固定具と、からなり、
前記第１の固定具は、相互に対向する２つの側壁を有しており、これら２つの側壁には、各側壁の頂部から下方に向かって延びる第１の凹部及び第２の凹部がそれぞれ形成されており、
前記第２の固定具は、相互に対向する２つの側壁を有しており、これら２つの側壁には、各側壁の頂部から下方に向かって延びる第３の凹部及び第４の凹部がそれぞれ形成されており、
前記側壁に直交する方向から見たときに、前記第１の凹部と前記第２の凹部とは水平方向において互いに重なり合わないように配置され、かつ、前記側壁に直交する方向から見たときに、前記第３の凹部と前記第４の凹部とは水平方向において互いに重なり合わないように配置されており、
前記第２の固定具の底面には前記２つの側壁の間において下方に突出する突起部が、前記第３の凹部及び前記第４の凹部の最下点よりも高い位置に頂部が位置するように、設けられており、
前記テンションメンバは、前記第１の凹部及び前記第３の凹部に挟み込まれ、かつ、前記第２の凹部及び前記第４の凹部の間に挟み込まれ、さらに、前記突起部により前記２つの側壁の間において下方に湾曲した状態で前記第１の固定具と前記第２の固定具との間に固定されることを特徴とする光ケーブル固定器具。
【請求項３】
テンションメンバと該テンションメンバの周囲に装填されている光ファイバとからなる光ケーブルを任意の取り付け領域に取り付けるための光ケーブル固定器具において、
前記取り付け領域に着脱自在に取り付けることが可能な第１の固定具と、
前記第１の固定具に着脱自在に取り付けることが可能な第２の固定具と、からなり、
前記第１の固定具は、相互に対向する２つの側壁を有しており、これら２つの側壁には、各側壁の頂部から下方に向かって延びる第１の凹部及び第２の凹部がそれぞれ形成されており、
前記第２の固定具は、相互に対向する２つの側壁を有しており、これら２つの側壁には、各側壁の頂部から下方に向かって延びる第３の凹部及び第４の凹部がそれぞれ形成されており、
前記側壁に直交する方向から見たときに、前記第１の凹部と前記第２の凹部とは水平方向において互いに重なり合わないように配置され、かつ、前記側壁に直交する方向から見たときに、前記第３の凹部と前記第４の凹部とは水平方向において互いに重なり合わないように配置されており、
前記第１の固定具または前記第２の固定具の底面には、前記２つの側壁の間において、前記２つの側壁に平行に横方向に突出する突起部が、前記第１の凹部及び前記第２の凹部または前記第３の凹部及び前記第４の凹部の端点を越えた位置に頂部が位置するように、設けられており、
前記テンションメンバは、前記第１の凹部及び前記第３の凹部に挟み込まれ、かつ、前記第２の凹部及び前記第４の凹部の間に挟み込まれ、さらに、前記突起部により前記２つの側壁の間において横方向に湾曲した状態で前記第１の固定具と前記第２の固定具との間に固定されることを特徴とする光ケーブル固定器具。
【請求項４】
テンションメンバと該テンションメンバの周囲に装填されている光ファイバとからなる光ケーブルを任意の取り付け領域に取り付けるための光ケーブル固定器具において、
前記取り付け領域に着脱自在に取り付けることが可能な第１の固定具と、
前記第１の固定具に着脱自在に取り付けることが可能な第２の固定具と、からなり、
前記第１の固定具は、相互に対向する２つの側壁を有しており、これら２つの側壁には、各側壁の頂部から下方に向かって延びる第１の凹部及び第２の凹部がそれぞれ形成されており、
前記第２の固定具は、相互に対向する２つの側壁を有しており、これら２つの側壁には、各側壁の頂部から下方に向かって延びる第３の凹部及び第４の凹部がそれぞれ形成されており、
前記側壁に直交する方向から見たときに、前記第１の凹部と前記第２の凹部とは水平方向において互いに重なり合わないように配置され、かつ、前記側壁に直交する方向から見たときに、前記第３の凹部と前記第４の凹部とは水平方向において互いに重なり合わないように配置されており、
前記第１の固定具の底面には前記２つの側壁の間において上方に突出する第１の突起部が、前記第１の凹部及び前記第２の凹部の最下点よりも高い位置に頂部が位置するように、設けられており、
前記第２の固定具の底面には前記２つの側壁の間において下方に突出する第２の突起部が、前記第３の凹部及び前記第４の凹部の最下点よりも高い位置に頂部が位置するように、かつ、前記第１の突起部と接触しないように、設けられており、
前記テンションメンバは、前記第１の凹部及び前記第３の凹部に挟み込まれ、かつ、前記第２の凹部及び前記第４の凹部の間に挟み込まれ、さらに、前記第１及び第２の突起部により前記２つの側壁の間においてジグザグ状に湾曲した状態で前記第１の固定具と前記第２の固定具との間に固定されることを特徴とする光ケーブル固定器具。
【請求項５】
テンションメンバと該テンションメンバの周囲に装填されている光ファイバとからなる光ケーブルを任意の取り付け領域に取り付けるための光ケーブル固定器具において、
前記取り付け領域に着脱自在に取り付けることが可能な第１の固定具と、
前記第１の固定具に着脱自在に取り付けることが可能な第２の固定具と、からなり、
前記第１の固定具は、相互に対向する２つの側壁を有しており、これら２つの側壁には、各側壁の頂部から下方に向かって延びる第１の凹部及び第２の凹部がそれぞれ形成されており、
前記第２の固定具は、相互に対向する２つの側壁を有しており、これら２つの側壁には、各側壁の頂部から下方に向かって延びる第３の凹部及び第４の凹部がそれぞれ形成されており、
前記側壁に直交する方向から見たときに、前記第１の凹部と前記第２の凹部とは水平方向において互いに重なり合わないように配置され、かつ、前記側壁に直交する方向から見たときに、前記第３の凹部と前記第４の凹部とは水平方向において互いに重なり合わないように配置されており、
前記第１の固定具または前記第２の固定具の底面には、前記２つの側壁の間において、前記２つの側壁に平行に横方向に突出する第１及び第２の突起部が、前記第１の凹部及び前記第２の凹部または前記第３の凹部及び前記第４の凹部の端点を越えた位置に頂部が位置するように、かつ、相互に反対方向に延びるように、設けられており、
前記テンションメンバは、前記第１の凹部及び前記第３の凹部に挟み込まれ、かつ、前記第２の凹部及び前記第４の凹部の間に挟み込まれ、さらに、前記第１及び第２の突起部により前記２つの側壁の間において横方向にジグザグ状に湾曲した状態で前記第１の固定具と前記第２の固定具との間に固定されることを特徴とする光ケーブル固定器具。
【請求項６】
前記第１の固定具に設けられている２つの側壁は同じ高さを有し、かつ、前記第１の凹部及び前記第２の凹部は同じ深さを有していることを特徴とする請求項１乃至５の何れか一項に記載の光ケーブル固定器具。
【請求項７】
前記第２の固定具に設けられている２つの側壁は同じ高さを有し、かつ、前記第３の凹部及び前記第４の凹部は同じ深さを有していることを特徴とする請求項１乃至６の何れか一項に記載の光ケーブル固定器具。
【請求項８】
前記第１の固定具に設けられている２つの側壁間の距離と前記第２の固定具に設けられている２つの側壁間の距離とは、前記第１の固定具の２つの側壁及び前記第２の固定具の２つの側壁の一方の側壁内面間の距離が他方の側壁外面間の距離に等しくなるように、設定されていることを特徴とする請求項１乃至７の何れか一項に記載の光ケーブル固定器具。
【請求項９】
前記突起部の頂部には前記テンションメンバを載せるための凹部が形成されていることを特徴とする請求項１乃至８の何れか一項に記載の光ケーブル固定器具。
【請求項１０】
前記凹部はＶ字型であることを特徴とする請求項９に記載の光ケーブル固定器具。
【請求項１１】
前記第１の凹部及び前記第２の凹部は多角形の形状をなしていることを特徴とする請求項１乃至１０の何れか一項に記載の光ケーブル固定器具。
【請求項１２】
前記第１の凹部及び前記第２の凹部は三角形の形状をなしていることを特徴とする請求項１１に記載の光ケーブル固定器具。
【請求項１３】
電柱間に張り渡されたワイヤーに吊り下げられ、光ケーブルを張り巡らす場合の中継地点として機能する屋外装置であって、
複数個の筐体を備えており、前記光ケーブルは、請求項１乃至１２の何れか一項に記載の光ケーブル固定器具を介して前記複数個の筐体の各々に固定されるものである屋外装置。
【発明の詳細な説明】
【０００１】
【発明の属する技術分野】
本発明は、光ケーブルを屋外装置の内部に固定するための光ケーブル固定器具に関する。
【０００２】
【従来の技術】
光ケーブルを張り巡らす場合、中継地点として、電柱間に張られたワイヤーに吊り下げられる屋外装置の内部に光ケーブルを接続することがある。この屋外装置に光ケーブルを導入し、その屋外装置の内部に固定する際には、作業性向上及び光ファイバ断線防止のために、屋外装置の適当な箇所に取り付けられている筐体に光ケーブル内部のテンションメンバを固定する必要がある。
【０００３】
また、光ケーブルを接続した後の日射、風、地震、積雪などの自然環境の影響により、光ケーブルを固定した筐体または光ケーブルそれ自体に負荷がかかり、テンションメンバの固定が緩むことがあれば、光ファイバの切断につながる可能性がある。このため、テンションメンバは、想定される軸方向の引っ張り力に対して、より大きい保持力で固定されることが重要である。
【０００４】
このため、テンションメンバを固定するための種々の筐体がこれまでに提案されている。
【０００５】
その一例として、実開平２−２１６０１号公報に記載されている光ケーブルの端末固定器具を図１３に、この端末固定器具が用いられる屋外装置を図１４に示す。
【０００６】
この光ケーブルの端末固定器具１００は、第１の固定金具１０１と、第２の固定金具１０２と、第３の固定金具１０３と、からなっている。
【０００７】
第１の固定金具１０１は、取り付け面１０１ａと、取り付け面１０１ａから鉛直下方に延びる一対の側壁１０１ｂと、一対の側壁１０１ｂの各々から水平方向に延びる一対の固定面１０１ｃと、からなっている。
【０００８】
取り付け面１０１ａには、２個のネジ孔１０１ｄと、３個の貫通孔１０１ｅとが形成されている。一対の固定面１０１ｃの各々には、貫通孔１０１ｆが形成されている。
【０００９】
第２の固定金具１０２はブロック形状をなしており、その上面には、Ｕ字型の溝１０２ａが形成されている。また、第１の固定金具１０１の取り付け面１０１ａに形成されているネジ孔１０１ｄに対応する位置に貫通孔１０２ｂが形成され、さらに、第１の固定金具１０１の取り付け面１０１ａに形成されている貫通孔１０１ｅに対応する位置にネジ孔１０２ｃが形成されている。
【００１０】
第３の固定金具１０３はプレート形状をなしており、第１の固定金具１０１の取り付け面１０１ａに形成されているネジ孔１０１ｄ及び第２の固定金具１０２に形成されている貫通孔１０２ｂに対応する位置に貫通孔１０３ａが形成されている。
【００１１】
光ケーブルの端末固定器具１００により固定される光ケーブル１０４は、テンションメンバ１０５と、テンションメンバ１０５の周囲に装填されている多数の光ファイバー１０６とからなっている。
【００１２】
図１４に示す屋外装置２００は、外面に複数個のワイヤー連結器具２０１を備えており、このワイヤー連結器具２０１のそれぞれにワイヤーが連結される。ワイヤーは２つの電柱間に張り渡されており、ワイヤー連結器具２０１にワイヤーが連結されることにより、屋外装置２００は２つの電柱間に張り渡されたワイヤーに吊り下げられた状態になっている。
【００１３】
屋外装置２００は複数個の筐体２０２を備えており、光ケーブル１０４は、次のようにして、この筐体２０２の各々に上述の端末固定器具１００を介して固定される。
【００１４】
先ず、第１の固定金具１０１は、例えば、一対の固定面１０１ｃの各々に形成されている貫通孔１０１ｆを介して、ボルト２０３（図１４参照）により、屋外装置２００の内部の筐体２０２の所定の領域に固定される。
【００１５】
第２の固定金具１０２は、第１の固定金具１０１の取り付け面１０１ａに形成されている貫通孔１０１ｅに通されたボルト１０７が第２の固定金具１０２に形成されているネジ孔１０２ｃにネジ止めされることにより、第１の固定金具１０１に対して固定される。
【００１６】
第２の固定金具１０２の上面に形成されているＵ字型溝１０２ａにテンションメンバ１０５をはめ込んだ後、その上方から第１の固定金具１０３を載せ、ボルト１０８を貫通孔１０３ａを介して第２の固定金具１０２に形成されているネジ孔１０２ｂにネジ止めすることにより、第３の固定金具１０３を第２の固定金具１０２に固定する。
【００１７】
なお、テンションメンバ１０５の周囲の光ファイバー１０６は屋外装置２００の内部に配置されている各種光通信機器のターミナル（図示せず）にそれぞれ接続される。
【００１８】
光ケーブル１０４は、以上のように、テンションメンバ１０５が端末固定器具１００の第２の固定金具１０２と第３の固定金具１０３との間に固定されることにより、第一の固定金具１０１が固定されている屋外装置に対して、固定される。
【００１９】
【発明が解決しようとする課題】
このように、従来の光ケーブルの端末固定器具１００における光ケーブル１０４の固定は、第２の固定金具１０２と第３の固定金具１０３との間の面接触により生じる押圧力を利用してなされるものであるため、テンションメンバ１０５の軸方向に引っ張り力が作用すると、テンションメンバ１０５は容易にずれてしまうことがあった。
【００２０】
テンションメンバ１０５がずれると、光ファイバが引っ張られることによる光ファイバ機能低下または破断に至る可能性が大きくなる。
【００２１】
本発明はこのような従来の光ケーブルの固定器具における問題点に鑑みてなされたものであり、テンションメンバがずれることなく、光ケーブルを強固に固定することができる光ケーブルの固定器具を提供することを目的とする。
【００３２】
【課題を解決するための手段】
この目的を達成するため、本発明は、テンションメンバと該テンションメンバの周囲に装填されている光ファイバとからなる光ケーブルを任意の取り付け領域に取り付けるための光ケーブル固定器具において、前記取り付け領域に着脱自在に取り付けることが可能な第１の固定具と、前記第１の固定具に着脱自在に取り付けることが可能な第２の固定具と、からなり、前記第１の固定具は、相互に対向する２つの側壁を有しており、これら２つの側壁には、各側壁の頂部から下方に向かって延びる第１の凹部及び第２の凹部がそれぞれ形成されており、前記第２の固定具は、相互に対向する２つの側壁を有しており、これら２つの側壁には、各側壁の頂部から下方に向かって延びる第３の凹部及び第４の凹部がそれぞれ形成されており、前記側壁に直交する方向から見たときに、前記第１の凹部と前記第２の凹部とは水平方向において互いに重なり合わないように配置され、かつ、前記側壁に直交する方向から見たときに、前記第３の凹部と前記第４の凹部とは水平方向において互いに重なり合わないように配置されており、前記第１の固定具の底面には前記２つの側壁の間において上方に突出する突起部が、前記第１の凹部及び前記第２の凹部の最下点よりも高い位置に頂部が位置するように、設けられており、前記テンションメンバは、前記第１の凹部及び前記第３の凹部に挟み込まれ、かつ、前記第２の凹部及び前記第４の凹部の間に挟み込まれ、さらに、前記突起部により前記２つの側壁の間において上方に湾曲した状態で前記第１の固定具と前記第２の固定具との間に固定されることを特徴とする光ケーブル固定器具を提供する。
【００３３】
この光ケーブル固定器具においては、テンションメンバは、第１の凹部及び第３の凹部に挟み込まれ、かつ、第２の凹部及び第４の凹部の間に挟み込まれ、さらに、突起部により２つの側壁の間において上方に湾曲した状態で第１の固定具と第２の固定具との間に固定される。このため、テンションメンバの軸方向の引っ張り力に対して大きな保持力が発生し、光ファイバに対して負荷が加わる可能性を低減できる。
【００３４】
本発明は、さらに、テンションメンバと該テンションメンバの周囲に装填されている光ファイバとからなる光ケーブルを任意の取り付け領域に取り付けるための光ケーブル固定器具において、前記取り付け領域に着脱自在に取り付けることが可能な第１の固定具と、前記第１の固定具に着脱自在に取り付けることが可能な第２の固定具と、からなり、前記第１の固定具は、相互に対向する２つの側壁を有しており、これら２つの側壁には、各側壁の頂部から下方に向かって延びる第１の凹部及び第２の凹部がそれぞれ形成されており、前記第２の固定具は、相互に対向する２つの側壁を有しており、これら２つの側壁には、各側壁の頂部から下方に向かって延びる第３の凹部及び第４の凹部がそれぞれ形成されており、前記側壁に直交する方向から見たときに、前記第１の凹部と前記第２の凹部とは水平方向において互いに重なり合わないように配置され、かつ、前記側壁に直交する方向から見たときに、前記第３の凹部と前記第４の凹部とは水平方向において互いに重なり合わないように配置されており、前記第２の固定具の底面には前記２つの側壁の間において下方に突出する突起部が、前記第３の凹部及び前記第４の凹部の最下点よりも高い位置に頂部が位置するように、設けられており、前記テンションメンバは、前記第１の凹部及び前記第３の凹部に挟み込まれ、かつ、前記第２の凹部及び前記第４の凹部の間に挟み込まれ、さらに、前記突起部により前記２つの側壁の間において下方に湾曲した状態で前記第１の固定具と前記第２の固定具との間に固定されることを特徴とする光ケーブル固定器具を提供する。
【００３５】
この光ケーブル固定器具においては、テンションメンバは、第１の凹部及び第３の凹部に挟み込まれ、かつ、第２の凹部及び第４の凹部の間に挟み込まれ、さらに、突起部により２つの側壁の間において下方に湾曲した状態で第１の固定具と第２の固定具との間に固定される。このため、テンションメンバの軸方向の引っ張り力に対して大きな保持力が発生し、光ファイバに対して負荷が加わる可能性を低減できる。
【００３６】
本発明は、さらに、テンションメンバと該テンションメンバの周囲に装填されている光ファイバとからなる光ケーブルを任意の取り付け領域に取り付けるための光ケーブル固定器具において、前記取り付け領域に着脱自在に取り付けることが可能な第１の固定具と、前記第１の固定具に着脱自在に取り付けることが可能な第２の固定具と、からなり、前記第１の固定具は、相互に対向する２つの側壁を有しており、これら２つの側壁には、各側壁の頂部から下方に向かって延びる第１の凹部及び第２の凹部がそれぞれ形成されており、前記第２の固定具は、相互に対向する２つの側壁を有しており、これら２つの側壁には、各側壁の頂部から下方に向かって延びる第３の凹部及び第４の凹部がそれぞれ形成されており、前記側壁に直交する方向から見たときに、前記第１の凹部と前記第２の凹部とは水平方向において互いに重なり合わないように配置され、かつ、前記側壁に直交する方向から見たときに、前記第３の凹部と前記第４の凹部とは水平方向において互いに重なり合わないように配置されており、前記第１の固定具または前記第２の固定具の底面には、前記２つの側壁の間において、前記２つの側壁に平行に横方向に突出する突起部が、前記第１の凹部及び前記第２の凹部または前記第３の凹部及び前記第４の凹部の端点を越えた位置に頂部が位置するように、設けられており、前記テンションメンバは、前記第１の凹部及び前記第３の凹部に挟み込まれ、かつ、前記第２の凹部及び前記第４の凹部の間に挟み込まれ、さらに、前記突起部により前記２つの側壁の間において横方向に湾曲した状態で前記第１の固定具と前記第２の固定具との間に固定されることを特徴とする光ケーブル固定器具を提供する。
【００３７】
この光ケーブル固定器具においては、テンションメンバは、第１の凹部及び第３の凹部に挟み込まれ、かつ、第２の凹部及び第４の凹部の間に挟み込まれ、さらに、突起部により２つの側壁の間において横方向に湾曲した状態で第１の固定具と第２の固定具との間に固定される。このため、テンションメンバの軸方向の引っ張り力に対して大きな保持力が発生し、光ファイバに対して負荷が加わる可能性を低減できる。
【００３８】
本発明は、さらに、テンションメンバと該テンションメンバの周囲に装填されている光ファイバとからなる光ケーブルを任意の取り付け領域に取り付けるための光ケーブル固定器具において、前記取り付け領域に着脱自在に取り付けることが可能な第１の固定具と、前記第１の固定具に着脱自在に取り付けることが可能な第２の固定具と、からなり、前記第１の固定具は、相互に対向する２つの側壁を有しており、これら２つの側壁には、各側壁の頂部から下方に向かって延びる第１の凹部及び第２の凹部がそれぞれ形成されており、前記第２の固定具は、相互に対向する２つの側壁を有しており、これら２つの側壁には、各側壁の頂部から下方に向かって延びる第３の凹部及び第４の凹部がそれぞれ形成されており、前記側壁に直交する方向から見たときに、前記第１の凹部と前記第２の凹部とは水平方向において互いに重なり合わないように配置され、かつ、前記側壁に直交する方向から見たときに、前記第３の凹部と前記第４の凹部とは水平方向において互いに重なり合わないように配置されており、前記第１の固定具の底面には前記２つの側壁の間において上方に突出する第１の突起部が、前記第１の凹部及び前記第２の凹部の最下点よりも高い位置に頂部が位置するように、設けられており、前記第２の固定具の底面には前記２つの側壁の間において下方に突出する第２の突起部が、前記第３の凹部及び前記第４の凹部の最下点よりも高い位置に頂部が位置するように、かつ、前記第１の突起部と接触しないように、設けられており、前記テンションメンバは、前記第１の凹部及び前記第３の凹部に挟み込まれ、かつ、前記第２の凹部及び前記第４の凹部の間に挟み込まれ、さらに、前記第１及び第２の突起部により前記２つの側壁の間においてジグザグ状に湾曲した状態で前記第１の固定具と前記第２の固定具との間に固定されることを特徴とする光ケーブル固定器具を提供する。
【００３９】
この光ケーブル固定器具においては、テンションメンバは、第１の凹部及び第３の凹部に挟み込まれ、かつ、第２の凹部及び第４の凹部の間に挟み込まれ、さらに、第１及び第２の突起部により２つの側壁の間において上下方向にジグザグ状に湾曲した状態で第１の固定具と第２の固定具との間に固定される。このため、テンションメンバの軸方向の引っ張り力に対して大きな保持力が発生し、光ファイバに対して負荷が加わる可能性を低減できる。
【００４０】
本発明は、さらに、テンションメンバと該テンションメンバの周囲に装填されている光ファイバとからなる光ケーブルを任意の取り付け領域に取り付けるための光ケーブル固定器具において、前記取り付け領域に着脱自在に取り付けることが可能な第１の固定具と、前記第１の固定具に着脱自在に取り付けることが可能な第２の固定具と、からなり、前記第１の固定具は、相互に対向する２つの側壁を有しており、これら２つの側壁には、各側壁の頂部から下方に向かって延びる第１の凹部及び第２の凹部がそれぞれ形成されており、前記第２の固定具は、相互に対向する２つの側壁を有しており、これら２つの側壁には、各側壁の頂部から下方に向かって延びる第３の凹部及び第４の凹部がそれぞれ形成されており、前記側壁に直交する方向から見たときに、前記第１の凹部と前記第２の凹部とは水平方向において互いに重なり合わないように配置され、かつ、前記側壁に直交する方向から見たときに、前記第３の凹部と前記第４の凹部とは水平方向において互いに重なり合わないように配置されており、前記第１の固定具または前記第２の固定具の底面には、前記２つの側壁の間において、前記２つの側壁に平行に横方向に突出する第１及び第２の突起部が、前記第１の凹部及び前記第２の凹部または前記第３の凹部及び前記第４の凹部の端点を越えた位置に頂部が位置するように、かつ、相互に反対方向に延びるように、設けられており、前記テンションメンバは、前記第１の凹部及び前記第３の凹部に挟み込まれ、かつ、前記第２の凹部及び前記第４の凹部の間に挟み込まれ、さらに、前記第１及び第２の突起部により前記２つの側壁の間において横方向にジグザグ状に湾曲した状態で前記第１の固定具と前記第２の固定具との間に固定されることを特徴とする光ケーブル固定器具を提供する。
【００４１】
この光ケーブル固定器具においては、テンションメンバは、第１の凹部及び第３の凹部に挟み込まれ、かつ、第２の凹部及び第４の凹部の間に挟み込まれ、さらに、第１及び第２の突起部により２つの側壁の間において横方向にジグザグ状に湾曲した状態で第１の固定具と第２の固定具との間に固定される。このため、テンションメンバの軸方向の引っ張り力に対して大きな保持力が発生し、光ファイバに対して負荷が加わる可能性を低減できる。
【００４２】
第１の固定具に設けられている２つの側壁は同じ高さを有し、かつ、第１の凹部及び第２の凹部は同じ深さを有していることが好ましい。同様に、第２の固定具に設けられている２つの側壁は同じ高さを有し、かつ、第３の凹部及び第４の凹部は同じ深さを有していることが好ましい。
【００４３】
第１の固定具に設けられている２つの側壁間の距離と第２の固定具に設けられている２つの側壁管の距離とは、第１の固定具の２つの側壁及び第２の固定具の２つの側壁の一方の側壁内面間の距離が他方の側壁外面間の距離に等しくなるように、設定されていることが好ましい。
突起部の頂部にはテンションメンバを載せるための凹部が形成されていることが好ましい。この凹部は、例えば、Ｖ字型の凹部とすることができる。
【００４４】
第１及び第２の凹部は多角形の形状をなすように形成することができる。例えば、三角形の形状をなすように形成することができる。
【００４５】
【発明の実施の形態】
本発明の第１の実施形態に係る光ケーブルの固定器具１０を図１乃至図３に示す。図１は、本実施形態に係る光ケーブルの固定器具１０の分解斜視図、図２は、本実施形態に係る光ケーブルの固定器具１０に光ケーブルを固定した状態を示す斜視図、図３は、図２のＡ−Ａ線における断面図である。
【００４６】
図１に示すように、本実施形態に係る光ケーブルの固定器具１０は、第１の固定具１１と、第２の固定具１２と、からなっている。
【００４７】
第１の固定具１１は、取り付け面１１ａと、取り付け面１１ａの両端から鉛直下方に延びる一対の側壁１１ｂと、一対の側壁１１ｂの各々から水平方向に延びる一対の固定面１１ｃと、を備えている。
【００４８】
さらに、取り付け面１１ａの相互に対向する両端には側壁１１ｄ、１１ｅがそれぞれ形成されている。側壁１１ｄには、側壁１１ｄの頂部から下方に向かって延びる第１のＵ字型凹部１３ａが形成されており、側壁１１ｅには、側壁１１ｅの頂部から下方に向かって延びる第２のＵ字型凹部１３ｂが形成されている。
【００４９】
２つの側壁１１ｄ及び１１ｅは同じ高さを有しており、さらに、第１のＵ字型凹部１３ａ及び第２のＵ字型凹部１３ｂは同一形状であり、従って、同じ深さを有している。
【００５０】
また、第１のＵ字型凹部１３ａと第２のＵ字型凹部１３ｂとは、側壁１１ｄ、１１ｅに直交する方向から見たときに、相互に重なり合うように、配置されている。
【００５１】
第１の固定具１１の取り付け面１１ａには、２つの側壁１１ｄ及び１１ｅの中間において、上方に突出している突起部１４が形成されている。この突起部１４は、第１のＵ字型凹部１３ａ及び第２のＵ字型凹部１３ｂの最下点よりも高い高さを有している。
【００５２】
さらに、第１の固定具１１の取り付け面１１ａには２つのネジ孔１１ｆが設けられている。
【００５３】
第１の固定具１１の一対の固定面１１ｃの各々には貫通孔１１ｇが形成されている。第１の固定具１１は、この貫通孔１１ｇにボルト（図示せず）を通すことによって、屋外装置その他任意の取り付け領域に着脱自在に固定することができるようになっている。
【００５４】
第２の固定具１２は、矩形状のカバー面１２ａと、カバー面１２ａの４辺から鉛直下方に延びる４つの側壁と、を有している。
【００５５】
カバー面１２ａには、第１の固定具１１の取り付け面１１ａに形成された２つのネジ孔１１ｆに対応する位置に２つの貫通孔１２ｂが形成されている。これらの貫通孔１２ｂにボルト１５を通し、第１の固定具１１の取り付け面１１ａに形成されているネジ孔１１ｆにネジ止めすることにより、第２の固定具１２は第１の固定具１１に着脱自在に取り付けることが可能である。
【００５６】
４つの側壁のうち、相互に対向する一対の側壁１２ｄ、１２ｅには、各側壁１２ｄ、１２ｅの底部から上方に延びる第３のＵ字型凹部１３ｃ（図示せず）及び第４のＵ字型凹部１３ｄがそれぞれ形成されている。
【００５７】
２つの側壁１２ｄ及び１２ｅは同じ高さを有しており、さらに、第３のＵ字型凹部１３ｃ及び第４のＵ字型凹部１３ｄは同一形状であり、従って、同じ深さを有している。
【００５８】
また、第３のＵ字型凹部１３ｃと第４のＵ字型凹部１３ｄとは、側壁１２ｄ、１２ｅに直交する方向から見たときに、相互に重なり合うように、配置されている。
【００５９】
本実施形態に係る光ケーブルの固定器具１０により固定される光ケーブル１６は、テンションメンバ１７と、テンションメンバ１７の周囲に装填されている多数の光ファイバー１８とからなっており、テンションメンバ１７が、次のようにして、本固定器具１０の内部に固定される。
【００６０】
先ず、テンションメンバ１７を側壁１１ｄに形成されている第１のＵ字型凹部１３ａと側壁１１ｅに形成されている第２のＵ字型凹部１３ｂとに掛け渡す。この際、テンションメンバ１７は側壁１１ｄと側壁１１ｅとの中間において必然的に突起部１４の上に乗ることになる。
【００６１】
次いで、第２の固定具１２を、第１のＵ字型凹部１３ａと第３のＵ字型凹部１３ｃとが重なり合い、さらに、第２のＵ字型凹部１３ｂと第４のＵ字型凹部１３ｄとが重なり合うように、第１の固定具１１上にかぶせる。
【００６２】
その後、２本のボルト１５を第２の固定具１２の貫通孔１２ｂを通し、第１の固定具１１のネジ孔１１ｆにネジ止めする。
【００６３】
これにより、図２に示すように、屋外装置その他任意の取り付け領域に固定されている第１の固定具１１に第２の固定具１２が固定される。
【００６４】
図３に示すように、第１の固定具１１に設けられている２つの側壁１１ｄ、１１ｅの外周面間の距離は、第２の固定具１２に設けられている２つの側壁１２ｄ、１２ｅ間の内周面間の距離に等しく設定されている。このため、第１の固定具１１が第２の固定具１２の内部に嵌合するような形になっている。
【００６５】
このため、テンションメンバ１７は、第１のＵ字型凹部１３ａ及び第３のＵ字型凹部１３ｃに挟み込まれ、かつ、第２のＵ字型凹部１３ｂ及び第４のＵ字型凹部１３ｄの間に挟み込まれた状態になっている。
【００６６】
さらに、突起部１４は、第１のＵ字型凹部１３ａ及び第２のＵ字型凹部１３ｂの最下点よりも高い高さを有しているため、テンションメンバ１７は突起部１４からテンションメンバ１７の軸方向に垂直な方向の力を受け、「く」の字型に湾曲する。
【００６７】
このように、本実施形態に係る光ケーブルの固定器具１０によれば、テンションメンバ１７は突起部１４により２つの側壁１１ｄ、１１ｅの間において上方に湾曲した状態で第１の固定具１１と第２の固定具１２との間に固定されるため、テンションメンバ１７の軸方向の引っ張り力に対して大きな保持力が発生し、この保持力の分だけ、光ケーブル１６に対する負荷を軽減することが可能である。
【００６８】
上述の第一の実施形態に係る光ケーブルの固定器具１０は、上記のような構成に限定されるものではなく、種々の変更が可能である。
【００６９】
第一の実施形態に係る光ケーブルの固定器具１０においては、突起部１４を１個設けたが、２個以上の突起部１４を並列させて設けることも可能である。
【００７０】
また、図４に示すように、突起部１４の頂部には、テンションメンバ１７を載せるための断面がＵ字型の凹部１４ａを形成することができる。
【００７１】
このような凹部１４ａを形成することにより、テンションメンバ１７を突起部１４の中央に確実に位置決めすることが可能である。
【００７２】
突起部１４に凹部１４ａを形成する場合には、凹部１４ａは、凹部１４ａの最下点が第１のＵ字型凹部１３ａ及び第２のＵ字型凹部１３ｂの最下点よりも高い位置にあるように形成される。
【００７３】
また、突起部１４の頂部に形成される凹部は、図５に示すように、断面がＶ字型の凹部１４ｂとして形成することも可能である。
【００７４】
断面がＶ字型の凹部１４ｂにテンションメンバ１０５を載せると、テンションメンバ１０５は２点においてＶ字型凹部１４ｂと接触することになるため、断面がＵ字型の凹部１４ａにテンションメンバ１０５を載せる場合と比較して、より確実にテンションメンバ１０５を三角形状凹部１４ｂ内に保持することが可能である。
【００７５】
また、図６に示すように、第１のＵ字型凹部１３ａと第２のＵ字型凹部１３ｂとを互い違いに配置することも可能である。すなわち、側壁１１ｄ、１１ｅに直交する方向から見たときに、第１のＵ字型凹部１３ａと第２のＵ字型凹部１３ｂとが重なり合わないように配置することも可能である。
【００７６】
このように、第１のＵ字型凹部１３ａと第２のＵ字型凹部１３ｂとを互い違いに配置することにより、テンションメンバ１７は突起部１４により上方向に湾曲するのみならず、互い違いに配置された第１のＵ字型凹部１３ａと第２のＵ字型凹部１３ｂとによって、水平方向にも湾曲することになるので、テンションメンバ１７の軸方向の引っ張り力に対して、より大きな保持力を発生させることができる。
【００７７】
なお、第１のＵ字型凹部１３ａと第２のＵ字型凹部１３ｂとを互い違いに配置する場合には、それに合わせて、第３のＵ字型凹部１３ｃ及び第４のＵ字型凹部１３ｄも互い違いに配置する。
【００７８】
また、図７に示すように、第２の固定具１２の相互に対向する一対の側壁１２ｄ、１２ｅには、Ｕ字型凹部１３ｃ、１３ｄに代えて、三角形状の凹部１３ｆを形成することも可能である。
【００７９】
第３のＵ字型凹部１３ｃ及び第４のＵ字型凹部１３ｄのように、Ｕ字型凹部を形成すると、テンションメンバ１０５は一点においてのみＵ字型凹部と接触する場合があり得るが、三角形状凹部１３ｆを形成すると、テンションメンバ１０５は必ず２点において三角形状凹部１３ｆと接触することになるため、Ｕ字型凹部を形成する場合と比較して、より確実にテンションメンバ１０５を保持することが可能になる。
【００８０】
また、三角形状凹部に代えて、Ｎ角形（Ｎは４以上の正の整数）の断面を有する凹部を形成することも可能である。
【００８１】
あるいは、図８に示すように、Ｕ字型凹部または三角形状凹部に代えて、軸線が斜めに傾斜している長円形状の凹部１３ｇ、１３ｈを形成することも可能である。この場合、側壁１２ｅに形成される長円形状の凹部１３ｇと、側壁１２ｅに対向する側壁１２ｄに形成される長円形状の凹部１３ｈとは、図８に示すように、各軸線が鉛直方向に対して相互に反対方向に向いているようにすることが好ましい。このような長円形状の凹部１３ｇ、１３ｈを形成することにより、テンションメンバ１０５は凹部１３ｇ、１３ｈのそれぞれにおいて、より強固に保持される。
【００８２】
図９は、本発明の第２の実施形態に係る光ケーブルの固定器具２０の構造を示す断面図である。
【００８３】
本実施形態に係る光ケーブルの固定器具２０においては、第１の実施形態における第１の固定具１１に形成された突起部１４に代えて、第２の固定具１２に形成された突起部２１が形成されている。
【００８４】
突起部２１は第２の固定具１２のカバー面１２ａの裏面から下方に向かって突出している。突起部２１は、その頂部が第３のＵ字型凹部１３ｃ及び第４のＵ字型凹部１３ｄの最下点よりも高くなるように形成されている。
【００８５】
突起部１４に代えて突起部２１を形成した点を除いて、本実施形態に係る光ケーブルの固定器具２０は第１の実施形態に係る光ケーブルの固定器具１０と同一の構造を有している。
【００８６】
本実施形態に係る光ケーブルの固定器具２０によれば、テンションメンバ１７は、第１の実施形態の場合と異なり、下方向に湾曲するが、第１の実施形態に係る光ケーブルの固定器具１０と同様に、テンションメンバ１７の軸方向の引っ張り力に対して大きな保持力を発生させることができる。
【００８７】
図１０は、本発明の第３の実施形態に係る光ケーブルの固定器具３０における第１の固定具１１を上方から見た場合の平面図である。
【００８８】
本実施形態に係る光ケーブルの固定器具３０においては、第１の実施形態における突起部１４に代えて、第１の固定具１１の底面には突起部３１が形成されている。
【００８９】
突起部３１は、第１の固定具１１の２つの側壁１１ｄ、１１ｅの間において、２つの側壁１１ｄ、１１ｅに平行に横方向に突出している。さらに、突出部３１は、第１の固定具１１の一の辺１１Ａを基準として、第１のＵ字型凹部１３ａ及び第２のＵ字型凹部１３ｂの端点１３Ａ、１３Ｂを越えた位置に頂部３１ａが位置するように、設けられている。
【００９０】
突起部３１の高さは、突起部３１の頂部３１ａにおいてテンションメンバ１７と係合し得る程度であればよく、第１のＵ字型凹部１３ａ及び第２のＵ字型凹部１３ｂの最下点よりも低くても、あるいは、高くてもよい。
【００９１】
突起部１４に代えて突起部３１を形成した点を除いて、本実施形態に係る光ケーブルの固定器具３０は第１の実施形態に係る光ケーブルの固定器具１０と同一の構造を有している。
【００９２】
本実施形態に係る光ケーブルの固定器具３０によれば、テンションメンバ１７は、第１の実施形態の場合と異なり、横方向に湾曲するが、第１の実施形態に係る光ケーブルの固定器具１０と同様に、テンションメンバ１７の軸方向の引っ張り力に対して大きな保持力を発生させることができる。
【００９３】
なお、本実施形態においては、突起部３１を第１の固定具１１に設けたが、突起部３１を第２の固定具１２に設けることも可能である。
【００９４】
図１１は、本発明の第４の実施形態に係る光ケーブルの固定器具４０の構造を示す断面図である。
【００９５】
本実施形態に係る光ケーブルの固定器具４０においては、第１の実施形態における第１の固定具１１に形成された突起部１４とともに、第２の実施形態における第２の固定具１２に形成された突起部２１が形成されている。
【００９６】
図１１に示すように、突起部１４と突起部２１とは、相互に接触しないように、側壁１１ｄ、１１ｅ及び１２ｄ、１２ｅの間において、適当な間隔をあけて相互に隔置されている。
【００９７】
突起部２１を形成した点及び突起部１４の形成位置を変更した点を除いて、本実施形態に係る光ケーブルの固定器具４０は第１の実施形態に係る光ケーブルの固定器具１０と同一の構造を有している。
【００９８】
本実施形態に係る光ケーブルの固定器具４０によれば、テンションメンバ１７は、第１の実施形態の場合と異なり、上方向のみならず、下方向にも湾曲した状態、すなわち、鉛直方向においてジグザグ状に湾曲した状態で保持される。このため、第１の実施形態に係る光ケーブルの固定器具１０と比較して、テンションメンバ１７の軸方向の引っ張り力に対して、より大きな保持力を発生させることができる。
【００９９】
図１２は、本発明の第５の実施形態に係る光ケーブルの固定器具５０における第１の固定具１１を上方から見た場合の平面図である。
【０１００】
本実施形態に係る光ケーブルの固定器具５０においては、第３の実施形態における突起部３１とともに、第１の固定具１１の底面には突起部５１が形成されている。
【０１０１】
突起部３１は、第１の固定具１１の一の辺１１Ａから内側に向かって延びているのに対して、突起部５１は、第１の固定具１１の辺１１Ａに対向する辺１１Ｂから内側に向かって延びている。すなわち、突起部５１は、突起部３１と適当な間隔をあけて相互に隔置された状態で、相互に反対方向に延びている。
【０１０２】
突起部５１も、突起部３１と同様に、第１の固定具１１の辺１１Ｂを基準として、第１のＵ字型凹部１３ａ及び第２のＵ字型凹部１３ｂの端点１３Ｃ、１３Ｄを越えた位置に頂部５１ａが位置するように、設けられている。
【０１０３】
突起部５１の高さは突起部３１の高さと同じである。
【０１０４】
突起部５１を形成した点及び突起部３１の配置位置を変更した点を除いて、本実施形態に係る光ケーブルの固定器具５０は第３の実施形態に係る光ケーブルの固定器具３０と同一の構造を有している。
【０１０５】
本実施形態に係る光ケーブルの固定器具５０によれば、テンションメンバ１７は、第３の実施形態の場合と異なり、水平方向においてジグザグ状に湾曲した状態で保持される。このため、第３の実施形態に係る光ケーブルの固定器具３０と比較して、テンションメンバ１７の軸方向の引っ張り力に対して、より大きな保持力を発生させることができる。
【０１０６】
なお、本実施形態においては、突起部３１及び突起部５１を第１の固定具１１に設けたが、突起部３１及び突起部５１を第２の固定具１２に設けることも可能である。
【０１０７】
上述の第１、２及び４の実施形態においては、第１の固定具１１の側壁１１ｄ、１１ｅ及び第２の固定具１２の側壁１２ｄ、１２ｅにはそれぞれ第１乃至第４のＵ字型凹部１３ａ乃至１３ｄを形成したが、これら第１乃至第４のＵ字型凹部１３ａ乃至１３ｄを形成することは必ずしも必要ではない。第１乃至第４のＵ字型凹部１３ａ乃至１３ｄを形成しなくても、上述の第１、２及び４の実施形態と同様の効果を得ることができる。
【０１０８】
第１乃至第４のＵ字型凹部１３ａ乃至１３ｄを設けない場合には、例えば、第１の実施形態では、突起部１４は、２つの側壁１１ｄ、１１ｅよりも高い位置に頂部が位置するように、形成される。また、テンションメンバ１７は、第１の固定具１１の側壁１１ｄ、１１ｅと第２の固定具１２の側壁１２ｄ、１２ｅとの間に挟み込まれ、さらに、突起部１４により第１の固定具の側壁１１ｄ、１１ｅの間において上方に湾曲した状態で第１の固定具１１と第２の固定具１２との間に固定される。
【０１０９】
【発明の効果】
以上のように、本発明に係る光ケーブルの固定器具によれば、光ケーブルのテンションメンバは、突起部の作用により、上方向、下方向、横方向またはジグザグ状に湾曲した状態で第１の固定具と第２の固定具との間に固定される。このため、テンションメンバの軸方向の引っ張り力に対して大きな保持力が発生し、これにより、テンションメンバのずれを防止することができ、光ファイバに対して負荷が加わる可能性を低減できる。
【図面の簡単な説明】
【図１】本発明の第１の実施形態に係る光ケーブルの固定器具の分解斜視図である。
【図２】本発明の第１の実施形態に係る光ケーブルの固定器具の斜視図である。
【図３】図２のＡ−Ａ線における断面図である。
【図４】本発明の第１の実施形態に係る光ケーブルの固定器具の第１の変形例の斜視図である。
【図５】本発明の第１の実施形態に係る光ケーブルの固定器具の第２の変形例の斜視図である。
【図６】本発明の第１の実施形態に係る光ケーブルの固定器具の第３の変形例の斜視図である。
【図７】本発明の第１の実施形態に係る光ケーブルの固定器具の第４の変形例の斜視図である。
【図８】本発明の第１の実施形態に係る光ケーブルの固定器具の第５の変形例の斜視図である。
【図９】本発明の第２の実施形態に係る光ケーブルの固定器具の構造を示す断面図である。
【図１０】本発明の第３の実施形態に係る光ケーブルの固定器具における第１の固定具を上方から見た場合の平面図である。
【図１１】本発明の第４の実施形態に係る光ケーブルの固定器具の構造を示す断面図である。
【図１２】本発明の第５の実施形態に係る光ケーブルの固定器具における第１の固定具を上方から見た場合の平面図である。
【図１３】従来の光ケーブルの固定器具の分解斜視図である。
【図１４】光ケーブルを収納する屋外装置の構造を示す斜視図である。
【符号の説明】
１０  第１の実施形態に係る光ケーブルの固定器具
１１  第１の固定具
１２  第２の固定具
１３ａ、１３ｂ、１３ｃ、１３ｄ  Ｕ字型凹部
１３ｆ  三角形状凹部
１３ｇ、１３ｈ  長円形状凹部
１４  突起部
１５  ボルト
１６  光ケーブル
１７  テンションメンバ
１８  光ファイバ
２０  第２の実施形態に係る光ケーブルの固定器具
２１  突起部
３０  第３の実施形態に係る光ケーブルの固定器具
３１  突起部
４０  第４の実施形態に係る光ケーブルの固定器具
５０  第５の実施形態に係る光ケーブルの固定器具
５１  突起部
【図１】
0003700837.tif 000002
【図２】
0003700837.tif 000003
【図３】
0003700837.tif 000004
【図４】
0003700837.tif 000005
【図５】
0003700837.tif 000006
【図６】
0003700837.tif 000007
【図７】
0003700837.tif 000008
【図８】
0003700837.tif 000009
【図９】
0003700837.tif 000010
【図１０】
0003700837.tif 000011
【図１１】
0003700837.tif 000012
【図１２】
0003700837.tif 000013
【図１３】
0003700837.tif 000014
【図１４】
0003700837.tif 000015